Podtech/llm-jp-corpus-v4-ja_patent huggingface dataset:
(57)【特許請求の範囲】
【請求項１】
両端に任意の形状の穴を有する長板または棒状の、直線の剛体二本で構成されていて、使用時に風呂敷を通す穴が地面と垂直方向に空いており、ハンドルとしてではなく風呂敷バッグの開口部を構成することを特徴とした風呂敷バッグ補助具。
【請求項２】
前記風呂敷バッグ補助具に空いている穴の貫通方向と垂直方向に位置する風呂敷バッグ補助具内側面に、マグネットやスナップ、または面ファスナーを有し、穴に通した風呂敷に邪魔されず風呂敷バッグの開口部が隙間なく閉じれることを特徴とした請求項１に記載の風呂敷バッグ補助具。
【発明の詳細な説明】
【技術分野】
【０００１】  本発明は、風呂敷や四辺形のシートを用いて、形状を維持したバッグとして使用するための補助具に関する物である。
【背景技術】
【０００２】  従来の風呂敷や四辺形のシートを利用した袋類は、縫製や裁断をしたり取っ手を縫いつけたりして形状を形成するものが多かった。また、バッグ内に入れた荷物の重みでバッグの形状変形が大きかった。また、開口部を閉じることができなかった。
【先行技術文献】
【特許文献】
【０００３】
【特許文献１】  特開２０１１−１４７６３４
【特許文献２】  特開２００８−２０１４６９
【実用新案文献３】
実開平０７−０２３４２４
【発明の概要】
【発明が解決しようとする課題】
【０００４】  風呂敷やスカーフで袋を成形する目的で使用してしまうと、裁断や、縫製が必要で、元の形に戻すことが困難であった。また荷物の重みにより、バッグの形状が大きく変形してしまう。開口部が閉じることができないため、バッグの中身が見えてしまったり、バッグを置いたときや、落下させたときに荷物が飛び出しやすかった。
【課題を解決するための手段】
【０００５】  本発明は長板または棒状物の両端に風呂敷や四辺形のシートの四隅を通せる穴の開いた二本の剛体を用いる。その剛体の隣り合う内側の面に、マグネットやスナップ、面ファスナーなどを取り付け、その２本の剛体に、風呂敷や四辺形のシートの四隅を通しそれぞれを結び取り付ける。
【発明の効果】
【０００６】  本発明を利用することで、風呂敷や四辺形のシートを裁断や縫製することなく、バッグとして使用することができる。なおかつ、本発明が剛体であるため、突っ張りの効果を持ち一定の形状が維持できる。また、開口部が、四辺形になるので、バッグからの物の出し入れがしやすくなる。
開口部が閉じられることで、バッグを置いたり、落下させたりしたときに、バッグの中の荷物が、見えてしまったり、飛び出してしまったりすることを防止できる。
【図面の簡単な説明】
【０００７】
【図１】風呂敷バッグ補助具本体の平面図
【図２】穴に風呂敷を通している図
【図３】使用状態の図
【図４】マグネットの位置図
【図５】風呂敷バッグを開けたときの図
【図６】風呂敷バッグを閉じたときの図
【発明を実地するための形態】
【０００８】  木材、竹、金属、プラスチックなどを加工した、長板または棒状の剛体でできた、本体（１）により、一対が構成され、本体（１）の両端に任意の形状の穴（２）が設けられたものである。
【実施例】
【０００９】  以下、添付図面に従って、一実施例を説明する。風呂敷（３）の四隅の隣り合う二カ所を本体の穴（２）に一カ所ずつ通し、それを結び、残りの二カ所も同じようにもう片方の本体の穴に通し結ぶ。風呂敷の両方の結び目（４）を止まるまで左右対称に引き上げる。図３の状態がバッグ使用時の状態である。【００１０】  本体（１）の隣り合う内側の面にマグネット（５）が埋め込まれ接着されており、それにより図５、図６で示すように開口部の開閉ができる。
【符号の説明】
【００１１】  １  本体
２  風呂敷通し穴
３  風呂敷
４  結び目
５  マグネット
【図１】
0006218082.tif 000002
【図２】
0006218082.tif 000003
【図３】
0006218082.tif 000004
【図４】
0006218082.tif 000005
【図５】
0006218082.tif 000006
【図６】
0006218082.tif 000007
(57)【特許請求の範囲】
【請求項１】
水底の浚渫土表層部に事前に固形状、粉末状の凝集剤を散布した後、放置して浚渫土内に浸透させた後浚渫することを特徴とする汚濁拡散防止対策工法。
【発明の詳細な説明】
【技術分野】
【０００１】
本発明は、港湾内及び河川・湖沼内の水域内で浚渫 を行う場合に発生する 汚濁拡散発生源に対して事前に凝集剤で処置対策を講じる工法に関する。
【背景技術】
【０００２】
従来、水域内で浚渫 工事をする場合は、工事区域全体を水面から垂下したシート膜で囲繞したり、あるいは汚濁の発生源近傍に、水面に鋼管をボルト等で接合して枠状にしたフロート部に、該フロート部から垂下したシート膜で囲繞した枠型水中膜を設けて、汚濁が拡散しないよう浚渫 工事を行っていた。
しかしながら、前者の方法では水域を囲繞するために、莫大な費用がかかる欠点があり、水域の汚濁防止が充分に行われなかった。また後者の方法では、汚濁処理施設費用がかかる欠点があった。
また、前述の方法は何れも、汚濁が発生してから対処する方法であることから、水域の汚濁が拡散しない様に該水中膜で囲繞したり するため莫大な時間と工事費用を要すると云う欠点があった。
【発明の概要】
【発明が解決しようとする課題】
【０００３】
そこで、工事費用が安価で、かつ浚渫 工事時の水域に土砂の汚濁拡散防止が行える工法 について業界から強い要望が出されていた。
【課題を解決するための手段】
【０００４】
本発明者は、これら従来の要望を満たすべく、種々研究を重ねた結果本発明を完成するに至った。
すなわち本発明は、水底の浚渫土表層部に事前に固形状、粉末状の凝集剤を散布した後、放置して浚渫土内に浸透させた後浚渫することを特徴とする汚濁拡散防止対策工法である。
【発明の効果】
【０００５】
本発明によれば、凝集剤で処理された浚渫土 は、汚濁の発生源に直接凝集性を持たせることで、汚濁拡散する土砂の微粒子に直接対応して大きな粒子と共沈沈降させる干渉沈降層（スラッジ・ブランケット）が自然形成され、水域内に投入した場合、あたかも空に浮かぶ白雲の雲塊状（クラウド）となり、汚濁粒子がその中に採りこまれて拡散が防止される。
また本発明を採用することによって浚渫 区域全体を水中膜で囲繞したり、枠型水中膜を設ける必要がないので、工事費が安価となると共に、工事期間も大幅に短縮することができる。
【０００６】
また、浚渫 を行う場合、汚濁が拡散した後で対応するのでは、時間の遅れを生じ、自然に拡散すると云う働きを助長するために、時間のファクターが極めて大きく影響するが、本発明にあっては、事前に対処や対策を講じておくことによって、自然の働きを伴って初期のポテンシャルエネルギーが最大に効果して良い結果が得られる。
このように本発明は、汚濁発生源の浚渫工等を事前に固形状、粉末状の凝集剤で処理することで、初期の濃度や密度が濃いことによって効果的に作用するのである。すなわち、初期対策によって最小のエネルギーで、最小の範囲内で処理することが可能と成る。
【発明を実施するための形態】
【０００７】
本発明は、例えば浚渫する前日にダイバーが潜り水底の浚渫土表層部に直接固形状または粉末状の凝集剤を散布する。
これらの凝集剤は、散布後時間の経過と共に溶解し、浚渫土内に浸透する。
【０００８】
本発明は、グラブバケットを使用するグラブ船によるグラブ浚渫の他に、バケット浚渫、ポンプ浚渫等の種々の浚渫に使用できる。
また、本発明は、土捨て工事において、浚渫工事で発生する土砂の土捨て方式としては底開式土運船、ガット船のほか排砂管設備等が使用できる。
【０００９】
本発明に使用される凝集剤としては、硫酸バンド、硫酸第一鉄、硫酸第二鉄、塩化第二鉄等の鉄塩、アルギン酸ナトリウム、ポリアクリル酸ナトリウム、水溶性アニリン樹脂塩酸塩、ポリビニルピリジン塩酸塩、水溶性尿素樹脂、ポリアクリルアミド、ポリ塩化アルミニウム、ポリ硫酸アルミニウム等の無機凝集剤、陰イオン性高分子凝集剤、陽イオン性高分子凝集剤、非イオン性高分子凝集剤等の有機高分子凝集剤、無機高分子凝集剤等が揚げられるが、いずれも好適に使用することができる。また凝集剤の形態は、粉末状、固形状として使用する。
さらに凝集剤の使用量については、用いる土砂の種類によって適宜その使用量は選択されるが、一般的には土砂類に対し、無機凝集剤は処理する土砂に対し５〜２００ｇ／ｍ３の割合で使用し、有機凝集剤は処理する土砂に対し１〜１０ｇ／ｍ３の割合で使用することが好ましい。
【００１０】
本発明の凝集剤で処理する方法としては、処理する土砂等の表面に、固形状、粉末状の凝集剤を 浚渫工事をする数日前に浚渫土表層部に散布することが好ましい。
【００１１】
次に本発明をさらに具体的に説明するために実施例を挙げるが、本発明は以下の実施例のみに限定されるものではない。
【００１２】
実施例１
浚渫・掘削の行われる区域にダイバーが潜り、水底に１ｍ２当り固形調合型凝集剤〔ソリッドエースＮＣＣ(日本ソリッド株式会社商品名)〕１個を目安に散布する。固形調合型凝集剤を散布して１〜２日放置すると固形調合型凝集剤が水を吸収してジェル状になり、底流で拡散することなく凝集作用が促進され、汚濁物質と固形調合型凝集剤が高濃度で接触し、確実な凝集が行われる。
またダイバーが潜って散布する方法に代えて水上または、水中に散布してもよい。
固形調合型凝集剤で処理された土砂は、グラブ式浚渫船により土運船に積み込まれ造成地に運ばれ、そこで船外に排出される。
船外に排出された土砂は、凝集機能を有し、土砂粒子の相互の干渉により雲塊状となり沈降促進がなされるために小範囲の汚濁拡散に留めることができ、広範囲の水域の汚濁拡散することなく埋立を行うことができた。
(57)【特許請求の範囲】
【請求項１】
取り付けたとき車輪の進行方向と概ね平行方向になる本体表面の大部分が反射体の構造を有し、かつ車輪のスポークに取り付けるためのかぎ状の取付け部を有する本体にはクリップの離脱を防止するための溝状の構造を有し、前記溝状部に音源である鈴がバネで介されているクリップを装着することを特徴とする当該乗り物用音響器。
【請求項２】
取り付けたとき車輪の進行方向と概ね平行方向になる本体表面の大部分が反射体の構造を有し、かつ車輪のスポークに固定するための取付け部を有する本体は、金属や陶器などの共鳴しやすい材質で形成されており、本体内部には中空部を有し、本体内部の中空部に玉や鈴を有すことで本体自体が鈴の構造を成すことを特徴とする当該乗り物用音響器。
【発明の詳細な説明】
【技術分野】
【０００１】  自転車、車イス、乳母車、電動カートなど乗り物用音響器に関する。
【発明の概要】
【発明が解決しようとする課題】
【０００２】  乳母車、車イス、電動カート、自転車などの乗り物には発動機などが発する音がなく静寂なため、また警報器などが取り付けてあっても躊躇して使用しない場合などには、他者はそれら乗り物の接近に気付きにくく、接触事故を引き起こすなどの危険があった。そこで、本発明はこれら乗り物にかかわる事故を減少することを課題とする。
【課題を解決するための手段】
【０００３】  乗り物の車輪などの回転力または電力などで音源を刺激し清涼音を発生させ、乗り物が接近したことを周囲にしらしめ注意を促す。
【発明の効果】
【０００４】  本発明の乗り物用音響器によれば、軽車両や静寂な乗り物の接近に気付かないことを原因とする事故を減少でき、事故による諸損失を低減させることができる。さらに省資源化や高齢化にともなう軽車両や車イス、電動カートなどの普及に効果がある。
【図面の簡単な説明】
【０００５】
【図１】車輪用取り付け部本体に音源である鈴が連結された実施例１の斜視図。
【図２】車輪用取り付け部本体が鈴の構造を有する実施例２の断面図。
【図３】電力で音源を刺激する実施例３の回路図。
【図４】自転車において実施例３を示す斜視図。
【発明を実施するための形態】
【実施例１】
【０００６】車輪のスポーク１１に取り付けたとき容易に外れないよう、カギ型の取り付け部２を有する本体１は、表面が反射体７で覆われており、クリップ４を固定する溝３を有し、溝３とクリップ４の接続部はクリップ４の挟む圧力で固定され、クリップ４には音源である鈴５がバネ６で連結されている。なおこの場合、音源である鈴５の個数は複数であることもできる。
【実施例２】車輪のスポーク１１に固定するための取り付け部２を有する本体１は、共鳴し易い金属や陶器などででき中空になっており、内部に玉８または鈴５を有する。なお、本体１の表面は反射体７の構造であることもできるし、玉８と鈴５の組み合わせおよび個数は限定しない。
【実施例３】自転車使用時、車輪に取り付けられたダイナモ９によって発生した電力は音声発生器１０に作用し継続的に清涼音を発生させる。【０００７】
【産業上の利用可能性】
【０００８】  省資源や高齢化にともなう軽車両や電動カートの普及に貢献。また事故による諸損の低減化。
【符号の説明】
【０００９】  １は本体。２は車輪用取り付け部。３は溝。４はクリップ。５は鈴。６はバネ。７は反射体。８は玉。９はダイナモ。１０は音声発生器．１１はスポーク。
【図１】
0006071036.tif 000002
【図２】
0006071036.tif 000003
【図３】
0006071036.tif 000004
【図４】
0006071036.tif 000005
(57)【特許請求の範囲】
【請求項１】
納豆容器の蓋体上面の窪みを、蓋体薬味収納とし、蓋体の開封と同時に自動で薬味投入口が開口し、絞り出しシートにより薬味投入できる納豆容器であって、その蓋体薬味収納部は上面より内部へ補強及び本体合わせ部を形成した窪み形状で、その蓋体薬味収納部上面に絞り出しシートがあり、蓋体薬味収納部の底部には投入通路と本体合わせ部が蓋体の開封により、薬味投入口のシール部が開封され投入通路より下部本体容器内へ投入でき、蓋体上面の絞り出しシートで必要に応じた薬味投入が可能な、蓋体薬味収納部付き容器。
【発明の詳細な説明】
【技術分野】
【０００１】
薬味保存部より納豆容器内部に簡単に薬味注入ができる納豆容器である。
【背景技術】
【０００２】
従来の納豆への薬味添加は手による薬味袋の開封注入で手の汚れや飛び散るなどが起きた。
また本体容器内を区切って薬味収納部を構成したものもあるが、混ぜにくくなることがあった。
【先行技術文献】
【特許文献】
【０００３】
【特許文献１】2010-11839
【非特許文献】
【０００４】
【非特許文献１】2002-284215
【発明の概要】
【発明が解決しようとする課題】
【０００５】
薬味袋に変わる合理的な保存法と開封法を構成する。
【課題を解決するための手段】
【０００６】
上記課題を解決するため、蓋体上面に保存用の窪みを作り、その保存された内部で開封できる構造とした。
【発明の効果】
【０００７】
本発明は従来の薬味開封による、飛散や手の汚れの防止の他、同時開封や容器スペースの効率化が図れる。
【図面の簡単な説明】
【０００８】
【図１】（a）は本発明容器の概略断面図で、（ｂ）はその納豆容器を開け薬味出口    シールが剥がれる様子を示す概略図である。
【発明を実施するための形態】
【０００９】
上記目的を達するため薬味袋を使用せず、蓋体の窪みを薬味容器とし、上部蓋
体の開閉により、下部本体容器との合わせ部であるシール部が開口し薬味出口穴から本体内部納豆へ添加する。
【実施例】
【００１０】
図１  （a）は納豆容器本体と蓋体の概略断面図で、  （b）はその納豆容器を開け薬味
出口シールが剥がれる様子を示す概略図である。
【００１１】
容器蓋体上部に収納用の窪みをつけた薬味収納部１を構成し、上面に絞り出しシート２が張ってある。
【００１２】
なお薬味収納部１の底部に、薬味出口穴４が、シール状態３にあり、蓋の持ち上げによ
り図１（b）の状態となり、出口穴シール３が剥がれ、出口穴４より本体内部の納豆に添加される。
【００１３】
上記により、薬味は、蓋体を開封する作業  図１（b）により、薬味収納の出口穴シー
ル３が開封され内部保護シートの除去後、蓋を戻し上面の絞り出しシート２を押し薬味収納部１より出口穴４を通り本体内部の納豆に添加される。
【産業上の利用可能性】
【００１４】
この発明は容器蓋体上面の内部へ窪む溝を保存部とし利用、その内容物の投入穴のシールを蓋の開口で開けさせるものであり、円形の容器においても蓋の回転で出口穴シールを剥がし本体へ流入させるものである。
【符号の説明】
【００１５】
１  薬味収納部
２  絞り出しシート
３  出口穴シール
４  薬味出口穴
【図１】
0006071029.tif 000002
(57)【特許請求の範囲】
【請求項１】
トイレットペーパーの芯入れであって、トイレットペーパーの芯を上方から内部に挿入した際、芯の下端を支持可能な支え円環状の支え（２）、および、支持可能な当該支え（２）から上方に向けて延出した板状部分から横方向に延びた円環状部分が上下に形成されたことを特徴とするトイレットペーパーの芯入れ。
【発明の詳細な説明】
【技術分野】
【０００１】  この発明は、特にトイレットペーパーの芯を収納するものである。
【背景技術】
【０００２】  従来、トイレには使い終わった後のトイレットペーパーの芯を収納する専用の入れ物はなかった。
【発明の概要】
【発明が解決しようとする課題】
【０００３】  これは、次のような欠点があった。
従来、使い終わったトイレットペーパーから出た芯を収納する専用の物がないために、床に使い終わった芯が散乱している状況にあった。
本発明は、以下のような欠点をなくすためになされたものである。
【課題を解決するための手段】
【０００４】（１）本体に
（２）芯を支えておくことのできる構造を設ける。
それを、設置して使用する。
本発明は、以上の構成よりなるものである。
【発明の効果】
【０００５】  使い終わったトイレットペーパーから出た芯を収納することにより、床に無数の芯が散乱しているという状況をなくすことができトイレが綺麗になる。
これを、見えやすい場所に置くことで、もしそこに芯が入っていれば、トイレットペーパーがなくなっていることを瞬時に確認、認識でき、早めに紙の補充や交換などの対処ができる。
後で紙がなかったという状況を未然に防ぐことができる。
【図面の簡単な説明】
【０００６】
【図１】本発明の斜視図である。
【図２】本発明の側面図である。
【発明を実施するための形態】
【０００７】  以下本発明を実施するための最良形態について説明する。
（１）本体の中に
（２）芯を支えておくことのできる構造を設ける。
入れた芯を固定しておくことのできる構造。
または、芯を支える物は、力を加えると動き、それに支えられて固定する構造も好ましい。
使用する本体の底面は、広い範囲が空洞になっていることが好ましい。
理由は、火災や異物混入の原因を防止するためである。
使用目的以外の物、異物、火気、ゴミなどが上から入れられても下に落ちる構造。
または、異物、灰皿、ゴミを入れるものではないと、認識できる構造が安全性上好ましい。
それを、トイレットペーパーホルダに一組み合わせたり、好きな場所、角度に設置して使用する。本発明は、以上の構造である。
これを、使用する時は、使い終わったトイレットペーパーから出た芯を本体の中に入れ収納すれば良い。
【実施例】
【０００８】  世界中の全てのトイレに設置できる。
【産業上の利用可能性】
【０００９】  世界中の全てのトイレに設置できる。
火災、異物混入の元になる原因にほぼならない構造ため、安全性にも優れ、公共、施設、店舗、家庭などのあらゆる場所で設置可能である。  また消臭剤入れや小物入れなどにも活用できる。
この発明を、我が国、日本から発信し、世界中のトイレの数だけ設置できることとなれば、産業上利用可能、莫大な国益、経済の活性化に繋がることができる。
【符号の説明】
【００１０】（１）本体
（２）支える物、又は場所
【図１】
0006167451.tif 000002
【図２】
0006167451.tif 000003
【図３】
0006167451.tif 000004
【図４】
0006167451.tif 000005
(57)【特許請求の範囲】
【請求項１】
二本の支柱の間に少なくとも１本の横切り用ステンレスワイヤーを張設した横切り用アタッチメントと、
縦切り用直刃安全刃を等間隔に立設した縦切り用アタッチメントと、
一方端に前記横切り用アタッチメント及び前記縦切り用アタッチメントを両側に対向して交換可能に固定する固定部と、他方端の持ち手となる部分に壁掛け用穴とを有する平板状部材とからなり、
前記横切り用アタッチメントは前記横切り用ステンレスワイヤーの本数の異なる複数の横切り用アタッチメントから一つ選ばれ、
前記縦切り用アタッチメントは前記直刃安全刃の間隔の異なる複数の縦切り用アタッチメントから一つ選ばれる即席豆腐カット機。
【請求項２】
前記横切り用ステンレスワイヤー及び／又は縦切り用直刃安全刃に替えて、波状安全刃とすることを特徴とする請求項１に記載の即席豆腐カット機。
【請求項３】
請求項１又は２に記載の即席豆腐カット機に固定された横切り用アタッチメントを豆腐パック容器上方より挿入し、容器の一端から反対端までスライドすることで豆腐を切断し、
前記横切り用アタッチメントと対向する位置に固定された縦切り用アタッチメントを容器上方より挿入し、直交する二方向それぞれについて、容器の一端から反対端までスライドすることを特徴とする豆腐切断方法。
【請求項４】
前記縦切り用アタッチメントに立設された安全刃の一部を用いて豆腐を切断することを特徴とする請求項３に記載の豆腐切断方法。
【発明の詳細な説明】
【発明の概要】
【発明が解決しようとする課題】
【０００１】  豆腐を切る際、まな板に出し包丁等を用意して、切るのが面倒であった。
【課題を解決するための手段】
【０００２】  豆腐をパックに入ったまま切ることを目的とするため横へ両断するためのステンレスワイヤーや、縦に切るためのステンレス安全刃を豆腐パックの端から端へスライドすることにより切れる。
第一の発明は、二本の支柱の間に少なくとも１本の横切り用ステンレスワイヤーを張設した横切り用アタッチメントと、縦切り用直刃安全刃を等間隔に立設した縦切り用アタッチメントと、一方端に前記横切り用アタッチメント及び前記縦切り用アタッチメントを両側に対向して交換可能に固定する固定部と、他方端の持ち手となる部分に壁掛け用穴とを有する平板状部材とからなり、前記横切り用アタッチメントは前記横切り用ステンレスワイヤーの本数の異なる複数の横切り用アタッチメントから一つ選ばれ、前記縦切り用アタッチメントは前記直刃安全刃の間隔の異なる複数の縦切り用アタッチメントから一つ選ばれる即席豆腐カット機である。
第二の発明は、第二の発明において横切り用ステンレスワイヤー及び／又は縦切り用直刃安全刃に替えて、波状安全刃とするものである。
第三の発明は、第一または第二の発明になる即席豆腐カット機に固定された横切り用アタッチメントを豆腐パック容器上方より挿入し、容器の一端から反対端までスライドすることで豆腐を切断し、前記横切り用アタッチメントと対向する位置に固定された縦切り用アタッチメントを容器上方より挿入し、直交する二方向それぞれについて、容器の一端から反対端までスライドすることを特徴とする豆腐切断方法である。
第四の発明は、第三の発明において、縦切り用アタッチメントに立設された安全刃の一部を用いて豆腐を切断することを特徴とする豆腐切断方法である。
【発明の効果】
【０００３】  豆腐がパックに入った状態で、縦横切れることでまな板や、包丁を用意する必要がなく、調理をより簡単にする効果がある。
【図面の簡単な説明】
【０００４】
【図１】即席豆腐カット機の平面図である。
【図２】即席豆腐カット機の使用方法図（１）から（３）である。（１）横切り用ステンレスワイヤーアタッチメントを豆腐パックの端から端まで横へスライドすることで両断できる。豆腐ケースをそのままに豆腐の横面から何段かにスライスすることができる。ケースに入れたままカットできることで、まな板豆腐をあけることなく調理をできるため衛生的である。（２）ステンレス安全刃を（１）と同じ要領で豆腐パックの端から端へスライドさせ、縦にカットする。パック内に豆腐が隙間なく入っている場合は、まずパック内の水を捨て豆腐のパックを傾けてステンレス安全刃を隙間に差し込みスライドする。（３）上記の（２）と同じ要領で、残りの縦方向へスライドすることで、四角に豆腐をカットすることができる。図１と同じく、豆腐パックの中で切れ込みを１段入れる。図２と図３の使用方法で安全刃の切り幅２ｃｍを基準に横に一度スライスし、縦を一度同じ２ｃｍ切り幅でカットしたら囲碁盤のように正方形に綺麗にカットすることができる。安全刃の切り幅を任意の大きさに調節して正方形にカットできる。図１の豆腐横面に切れ込みを一回入れて、横縦一回ずつ。全３回スライスするだけで数十個も切り分け、豆腐の大きさを多様にアレンジすることができる。またパックの中で切り分ける事ができるので、切った豆腐をパックにそのまま保管することも出来る。
【図３】即席豆腐カット機の使用方法図（４）である。（４）最後に、余分な大きさで切れ残った豆腐を切る場合は、図のように安全刃を豆腐パックにまたいでカットすることが出来る。種類さまざまの多様な豆腐パックに合うよう正方形の豆腐カットと長方形の豆腐カットをするのに合わせて豆腐パックの高さによって生まれる切り残しを全部活用した。豆腐を切り残しが出来るのもったいないため、そのようなことが無いように、豆腐の幅を任意でカットするアタッチメント類をつけ合わせた。大小様々な豆腐のパックサイズに即席豆腐カット機でカットした場合、切り残しを出さないため、パックの角に当てて切り幅を１．３ｃｍから設定した。平均的なパックの大きさ以上の大きさだった場合図のようにはみ出したような形でカットすれば解決できる。
【図４】即席豆腐カット機  波状ステンレスアタッチメント装着時の平面図である。
【図５】即席豆腐カット機におけるアタッチメントの種類の平面図であり、ステンレス安全刃アタッチメントの縦と横の切り幅を記載してある。
【符号の説明】１  全体の幅  １４．３ｃｍ
２  全体の高さ  ２０．３ｃｍ
３  アタッチメントの幅  ７．１ｃｍ
４  アタッチメントの高さ  ９．３ｃｍ
５  ステンレス安全刃５本の間隔  ２ｃｍ
６  ステンレス安全刃自体の幅  ０．０５ｍｍ
７  ステンレス安全刃自体の高さ  ０．５ｃｍ
８  横切り用ステンレスワイヤーの太さ０．０４ｍｍ
９  ワイヤーまでの間隔  ２ｃｍ
１０  アタッチメントの固定具の大きさ０．５ｃｍ
１１  アタッチメント付け根部分の厚み  ０．２ｃｍ  幅１．１ｃｍ
１２  アタッチメント取り付け部分の厚み  ０．２ｃｍ  幅２．２ｃｍ
１３  持ち手部分の長さ  １１ｃｍ  幅２．３ｃｍ  太さ１ｃｍ
１４  壁掛け穴
（波状ステンレスアタッチメント）
１５  安全刃の厚み０．０６ｍｍ  波の屈曲幅０．５ｃｍ  幅０．３ｃｍ【０００５】
【産業上の利用可能性】
【０００６】経済的に場所を取らず便利に使用できる。
【図１】
0006167259.tif 000002
【図２】
0006167259.tif 000003
【図３】
0006167259.tif 000004
【図４】
0006167259.tif 000005
【図５】
0006167259.tif 000006